(57)【要約】      （修正有）【課題】間接活線工法によって、ＬＡコネクタを避雷器に対して、取付け又は取外しの作業が安全且つ容易に行えるＬＡコネクタ用着脱工具を提供する。【解決手段】避雷器８の上部に連結するケーブル６付きのＬＡコネクタ５を、間接活線把持具７の操作によって、取付又は取外しを行うためのＬＡコネクタ用着脱工具であって、工具本体は、ＬＡコネクタ５の把持手段１，１ａ，２と、該把持手段１，１ａ，２を間接活線把持具７に取り付けるための連結手段４とから構成し、前記把持手段１，１ａ，２は、一端側にＬＡコネクタ５の嵌入口Ｓを、他端側にケーブル６の抜出口Ｒを、さらに嵌入口Ｓから抜出口Ｒに渡って延在するスリット３ａ，３ｂをそれぞれ備えるスリーブ状をなし、前記スリット３ａ，３ｂは、把持手段１，１ａ，２の内外にケーブル５の出し入れを自在とする幅を有している。【選択図】図１
2005198459.tif 000002
【特許請求の範囲】
【請求項１】
避雷器（８）の上部に連結するケーブル（６）付きのＬＡコネクタ（５）を、間接活線把持具（７）の操作によって、取付又は取外しを行うためのＬＡコネクタ用着脱工具であって、
工具本体は、ＬＡコネクタ（５）の把持手段（１，１ａ，２）と、該把持手段（１，１ａ，２）を間接活線把持具（７）に取り付けるための連結手段（４）とから構成し、
前記把持手段（１，１ａ，２）は、一端側にＬＡコネクタ（５）の嵌入口（Ｓ）を、他端側にケーブル（６）の抜出口（Ｒ）を、さらに嵌入口（Ｓ）から抜出口（Ｒ）に亘って延在するスリット（３ａ，３ｂ）を、それぞれ備えるスリーブ状をなし、
前記スリット（３ａ，３ｂ）は、把持手段（１，１ａ，２）の内外にケーブル（６）の出し入れを自在とする幅を有していることを特徴とするＬＡコネクタ用着脱工具。
【請求項２】
前記把持手段（１）は、硬質な絶縁素材で形成した外スリーブ（２）と、弾力性を有する素材で形成した内スリーブ（１ａ）とから構成し、
前記内スリーブ（１ａ）は、外スリーブ（２）の内周側に、結合手段（１３，１４）を介して備えていることを特徴とする請求項１記載のＬＡコネクタ用着脱工具。
【発明の詳細な説明】
【技術分野】
【０００１】
本発明は高圧架空配電線路において、ＬＡ（避雷器）に取り付けられるＬＡコネクタを間接活線工法によって、取り付け、又は取り外しを行うためのＬＡコネクタ用着脱工具に関する。
【背景技術】
【０００２】
避雷器へのＬＡコネクタの着脱作業は、従来、停電作業あるいは直接活線工法等により行われていた。
【特許文献１】特開２００２−２７０３３０号公報（１頁目、図１）
【特許文献２】特開２０００−０６８１１３号公報（１頁目、図１）
【発明の開示】
【発明が解決しようとする課題】
【０００３】
しかしながら停電作業では、作業中に電力の供給を停止することから、事業所や一般住宅等の電力利用者に多大な不都合を与えることになる。そこで直接活線工法を採用した場合、作業中の感電の危険性が伴う上に、作業者は感電を防ぐ手立てとして、絶縁上衣や高圧用ゴム手袋などの保護具を着用するものであったから、発汗による肉体的あるいは精神的疲労度が大きくなる問題点があった。そこで、直接活線工法に替えて間接活線工法による着脱作業を行うことが考えられるが、仮に間接活線把持具にマジックハンド等の着脱工具を備え、このマジックハンドを操作してＬＡコネクタを掴んで避雷器に着脱しようと試みた場合、ＬＡコネクタの多くが円筒状に形成してあることで、把持状態が不安定となって、マジックハンドからのＬＡコネクタの脱落等が考えられ、作業時の事故の危険性が増加するばかりか、作業効率を著しく低下する懸念がある。
【０００４】
本発明は上記課題を鑑みて発明されたものであり、間接活線工法よって、ＬＡコネクタを避雷器に対して、取付け又は取外しの作業を安全且つ容易に行えるＬＡコネクタ用着脱工具を提供することにある。
【課題を解決するための手段】
【０００５】
本発明のうち請求項１記載の発明は、避雷器の上部に連結するケーブル付きのＬＡコネクタを、間接活線把持具の操作によって、取付又は取外しを行うためのＬＡコネクタ用着脱工具であって、工具本体は、ＬＡコネクタの把持手段と、該把持手段を間接活線把持具に取り付けるための連結手段とから構成し、前記把持手段は、一端側にＬＡコネクタの嵌入口を、他端側にケーブルの抜出口を、さらに嵌入口から抜出口に渡って延在するスリットを、それぞれ備えるスリーブ状をなし、前記スリットは、把持手段の内外にケーブルの出し入れを自在とする幅を有していることを特徴とする。
【０００６】
ここでスリーブ状とは、避雷器に連結するＬＡコネクタ、及び該ＬＡコネクタから延長するケーブルに対し、（１）ＬＡコネクタの把持、（２）ケーブルへの把持手段の干渉の防止、（３）スリットにおけるケーブルの通過という、これら（１）〜（３）の各条件を満足できる形状である。また連結手段は、間接活線把持具への取り付け・取り外しの双方の作業を容易にできるものであれば、特にその手段を限定するものではなく、さらに連結手段には、把持手段と間接活線把持具との角度調節を行える機能を付与したものであってもよい。また把持手段を形成する素材は、合成ゴム等の軟質及び弾性素材、強化プラスティック等の硬質素材を問わずに適用できるが、活線工事に使用するものであるから、絶縁性を有する素材であることが望ましい。
【０００７】
このように形成した本着脱工具では、避雷器にＬＡコネクタを取り付ける場合、作業者はまず、間接活線把持具に取り付けた本着脱工具を、前記避雷器の側に近づけ、次いで、避雷器に連結したＬＡコネクタから延長するケーブルの延長方向と把持手段のスリットの延在方向とを一致させた後、そのままケーブルをスリットに通し、把持手段の嵌入口・抜出口間を前記ケーブルが自在に摺動できる状態とする。そして、把持手段をケーブルに沿って摺動してＬＡコネクタ側に近づけ、そのまま接近させることで、ＬＡコネクタが把持手段の嵌入口に押し込まれる。またＬＡコネクタを避雷器から取り外す場合は、取り付け時と同様の手順で、把持手段の嵌入口においてＬＡコネクタを強く把持し、さらにＬＡコネクタを把持した後は、作業者は間接活線把持具を操作して把持手段を左右に振ることで、避雷器からＬＡコネクタが徐々に抜けていき、結果、ＬＡコネクタを把持手段で掴んだまま、作業者の側に取り寄せることが可能となる。
【０００８】
本発明のうち請求項２記載の発明では、前記把持手段は、硬質な絶縁素材で形成した外スリーブと、弾力性を有する素材で形成した内スリーブとから構成し、前記内スリーブは、外スリーブの内周側に、結合手段を介して備えているので、把持手段へのＬＡコネクタの嵌入時、弾力性を有する内スリーブが膨らみをもつが、硬質な外スリーブが内スリーブの外周を包んでいることで、前記内スリーブの膨らみに対して、内向きに抑えこむような拘束力が働き、結果、把持手段による把持力の向上を図ることができる。
【０００９】
ここで内スリーブに適用する弾力性を有する素材としては、具体的に合成ゴム等が挙げられる。また外スリーブを形成する硬質な素材としては具体的に、強化プラスティック等が挙げられるが、ＬＡコネクタ嵌入時における内スリーブの膨らみに対する耐性を有する程度の硬度を備え、さらに絶縁性を有するものであれば特に限定するものではない。また内スリーブと外スリーブとの結合手段については、外スリーブの両端側開放口からの内スリーブの抜け出しを不能とするものであれば特に限定するものではなく、具体的には、外スリーブの内周側と内スリーブの外周側とが接する任意の箇所に、係止可能な爪部と受孔とをそれぞれに設けたり、あるいは、予め内スリーブと外スリーブとを離脱不能に接着してもよい。
【発明の効果】
【００１０】
本発明によれば、作業者は電線に近づくことなく、間接活線把持具を用いて容易にＬＡコネクタを着脱できるので、感電の危険を回避できるのは勿論、肉体的・精神的疲労感を感じることなく、効率的な作業を行える。
【発明を実施するための最良の形態】
【００１１】
次に、本発明のＬＡコネクタ用着脱工具の一実施形態を以下に説明する。
本ＬＡコネクタ用着脱工具は図１のように、把持手段１は強化プラスティック製の外スリーブ２と、該外スリーブ２の内周側に結合手段１３，１４を介して固定される合成ゴム製の内スリーブ１ａと、前記外スリーブ２の外周部に備えた間接活線把持具７との連結手段４と、から構成している。
【００１２】
前記把持手段１の構成部材のうちの内スリーブ１ａは図２と図３のように、この内スリーブ１ａの下端側開口（ＬＡコネクタの嵌入口）Ｓから上端側開口（ケーブル６の抜出口）Ｒに向けて、内径が徐々に小さくなるテーパ状に形成してあり、内スリーブ１ａの内周面とＬＡコネクタ５との接触時、ＬＡコネクタ５が内スリーブ１ａ内に深く嵌入するに従い、内スリーブ１ａ内周面のＬＡコネクタ５への締め付けが次第に強くなっていき、さらに内スリーブ１ａを形成する合成ゴムの弾力も相俟って、ＬＡコネクタ５を強く把持することとなる。また内スリーブ１ａには、該内スリーブ１ａの嵌入口Ｓから抜出口Ｒに亘って延在するスリット３ａを設けており、このスリット３ａは、ＬＡコネクタ５から延長するケーブル６の太さよりも大きな広幅（約１５ｍｍ）を有し、実際の作業時には、前記ケーブル６をスリット３ａ，３ｂに通して内スリーブ１ａ内に導き、避雷器８からＬＡコネクタ５を外すことなく、内スリーブ１ａの嵌入口ＳをＬＡコネクタ５の直上位置にもってくることができる。
【００１３】
次に外スリーブ２は、強化プラスティックで形成され、前記内スリーブ１ａと同様に上端開放口Ｒから下端側開放口Ｓに亘るスリット３ｂを備え、さらに縦に二分割することが可能である。また、内スリーブ１ａとの結合手段１３，１４として、前述の内スリーブ１ａの周面において相反する左右方向にそれぞれ突出する爪部１３，１３に対し、外スリーブ２の周面には受孔１４，１４をそれぞれ設けており、この爪部１３，１３を受孔１４，１４に係止することで、内外各スリーブ１ａ，２のスリット３ａ，３ｂが一致し、さらにスリット３ａ，３ｂ、嵌入口Ｓ、抜出口Ｒ、のそれぞれが連通する。そして外スリーブ２の分割した各パーツの張出片１０ａ，１０ｂをネジ１５止めすることで、外スリーブ２の内周面に内スリーブ１ａが抜け出し不能な状態で結合される。
尚、上端開放口Ｒはケーブル６の抜出口を兼ね、また下端側開放口ＳはＬＡコネクタ５の嵌入口を兼ねるものである。
【００１４】
次に連結手段４は、外スリーブ２の張出片１0ａの延長部位１６と、間接活線把持具７のツイストロック部１２と連結が可能な基部１１とからなっており、さらに、前記延長部位１６と基部１１とは、円形のラチェット面１７ａ，１７ｂ同士が重なり合う状態で接し、これを適当な噛み合わせ位置でネジ９止めすることで、間接活線把持具７を基準とする上下への揺動、及び、その揺動位置での固定を可能とし、これにより、把持手段１のケーブル６への差し入れる角度を自在に調節できる。
【００１５】
次に、前記構成のＬＡコネクタ用着脱工具の実際の使用手順を、各図面に基づいて順を追って説明する。
尚、本実施では、避雷器８からＬＡコネクタ５を取り外す場合について説明している。
まず避雷器８の上部に連結したＬＡコネクタ５に対して、本着脱工具を接近する場合は図４（ａ）のように、把持手段１のスリット３ａ，３ｂをＬＡコネクタ５から延長するケーブル６と一致するように合わせ、そのまま前記スリット３ａ，３ｂを差し入れる。そして、ケーブル６をスリット３ａ，３ｂに通し、該ケーブル６が嵌入口Ｓと抜出口Ｒとを挿通するように内スリーブ１ａの中に入れた後は、図４（ｂ）のように、ケーブル６がＬＡコネクタ５にまで延長することを利用し、作業者は間接活線把持具７を下ろす方向に操作し、内スリーブ１ａの嵌入口ＳにＬＡコネクタ５の上部膨大部１８を嵌入する。そして図４（ｃ）のように、ＬＡコネクタ５を把持したまま、間接活線把持具７を左右に繰り返して振るように操作し、避雷器８からＬＡコネクタ５を上方側へ徐々に引き抜いていき、最終的に図４（ｄ）のように、ＬＡコネクタ５を本着脱工具に把持した状態で抜き出し、作業者の側に取り寄せて作業を完了する。
【図面の簡単な説明】
【００１６】
【図１】本発明によるＬＡコネクタ用着脱工具の使用状態を示す斜視図である。
【図２】図１の一部を切欠した平面図である。
【図３】図１の一部を切欠した縦断面図である。
【図４（ａ）（ｂ）（ｃ）（ｄ）】本発明のＬＡコネクタ用着脱工具の使用手順を示す説明図である。
【符号の説明】
【００１７】
１，１ａ  内スリーブ（把持手段）
２  外スリーブ（把持手段）
３ａ，３ｂ  スリット
４  連結手段
５  ＬＡコネクタ
６  ケーブル
７  間接活線把持具
８  避雷器
１３  爪部（結合手段）
１４  受孔（結合手段）
Ｓ  嵌入口
Ｒ  抜出口
【図１】
2005198459.tif 000003
【図２】
2005198459.tif 000004
【図３】
2005198459.tif 000005
【図４（ａ）（ｂ）（ｃ）（ｄ）】
2005198459.tif 000006